(57)【要約】【課題】シャワー浴用の噴射ノズルとハンドシャワーとを併用しても、シャワー浴用の噴射ノズルからの湯水の噴射圧低下を抑制する。【解決手段】噴射ノズル７ａ，７ｂと、ハンドシャワー２と、貯湯タンク３と、湯水供給源から貯湯タンク３に供給される湯水が流れる第１移送路１１と、貯湯タンク３から噴射ノズル７ａ，７ｂに供給される湯水が流れる第２移送路１２と、第２移送路１２の途中に接続され、貯湯タンク３からハンドシャワー２に供給される湯水が流れる第３移送路１５と、第１移送路１１に設けられた第１開閉弁１０と、第２移送路１２に設けられた第２開閉弁１４と、第３移送路１５に設けられた第３開閉弁１６と、第２移送路１２に設けられた加圧ポンプ１３と、を備え、第３開閉弁１６の開閉状態によらず、噴射ノズル７ａ，７ｂから湯水が所定範囲内の噴射圧で噴射されるよう加圧ポンプ１３を制御する。【選択図】図５
2019037533.tif 000002
【特許請求の範囲】
【請求項１】
複数の噴射ノズルを有するシャワー浴槽と、
ハンドシャワーと、
前記噴射ノズルに供給する湯水を貯める貯湯槽と、
湯水供給源から前記貯湯槽に供給される湯水が流れる第１移送路と、
前記貯湯槽から前記噴射ノズルに供給される湯水が流れる第２移送路と、
前記第２移送路の途中に接続され、前記貯湯槽から前記ハンドシャワーに供給される湯水が流れる第３移送路と、
前記第１移送路に設けられた第１開閉弁と、
前記第２移送路に設けられた第２開閉弁と、
前記第３移送路に設けられた第３開閉弁と、
前記第２移送路において前記第３移送路の接続箇所よりも前記貯湯槽側に設けられた加圧ポンプと、
制御部と、を備え、
前記制御部は、前記第３開閉弁の開閉状態によらず、前記噴射ノズルから湯水が所定範囲内の噴射圧で噴射されるように前記加圧ポンプを制御する、
ことを特徴とする入浴装置。
【請求項２】
前記加圧ポンプと前記第２開閉弁との間の前記第２移送路に薬液供給手段が接続され、前記制御部は、前記シャワー浴槽の殺菌および／または洗浄処理に際しては前記薬液を混入した湯水が前記噴射ノズル及び／または前記ハンドシャワーから噴射できるよう前記薬液供給手段を制御する、請求項１に記載の入浴装置。
【請求項３】
少なくとも前記第３開閉弁と前記ハンドシャワーとの間の前記第３移送路に薬液供給手段が接続され、前記制御部は、前記シャワー浴槽の殺菌および／または洗浄処理に際しては前記薬液を混入した湯水が前記ハンドシャワーから噴射されるよう前記薬液供給手段を制御する、請求項１に記載の入浴装置。
【請求項４】
第１群および第２群の複数の噴射ノズルを有するシャワー浴槽と、
前記噴射ノズルに供給する湯水を貯める貯湯槽と、
湯水供給源から前記貯湯槽に供給される湯水が流れる第１移送路と、
前記貯湯槽から前記第１群の噴射ノズルに供給される湯水が流れる第２移送路と、
前記第２移送路の途中に接続され、前記貯湯槽から前記第２群の噴射ノズルに供給される湯水が流れる第３移送路と、
前記第１移送路に設けられた第１開閉弁と、
前記第２移送路に設けられた第２開閉弁と、
前記第３移送路に設けられた第３開閉弁と、
前記第２移送路において前記第３移送路の接続箇所よりも前記貯湯槽側に設けられた加圧ポンプと、
制御部と、を備え、
前記制御部は、前記第３開閉弁の開閉状態によらず、前記第１群の噴射ノズルから湯水が所定範囲内の噴射圧で噴射されるように前記加圧ポンプを制御する、
ことを特徴とする入浴装置。
【請求項５】
前記噴射ノズルからの湯水の噴射圧が調整可能である、請求項１ないし４のいずれかに記載の入浴装置。
【請求項６】
前記貯湯槽の周囲に断熱機能または保温機能を有する部材が取り付けられている、請求項１ないし５のいずれかに記載の入浴装置。
【請求項７】
前記貯湯槽は、内部に当該貯湯槽内の貯湯量を検出する貯湯量センサが設けられ、
前記制御部は、前記貯湯量センサのセンサ出力に基いて前記第１開閉弁の開閉を制御する、請求項１ないし６のいずれかに記載の入浴装置。
【発明の詳細な説明】
【技術分野】
【０００１】
本発明は、被介助者のシャワー浴ができる入浴装置に関する。
【背景技術】
【０００２】
下記特許文献１には、内部配管内の圧力を検出してミキシングバルブからの吐出量が一定になるようにフィードバック制御し、シャワー室の天井と内底面に取り付けられたシャワーノズルから常に一定の強さで温水が噴出するようにしたシャワー入浴装置が記載されている。
【０００３】
下記特許文献２には、アキュムレーターを設けることによって、複数のシャワー噴出部の噴出圧力がそれぞれ均等に保たれ、各噴出部から一定圧力で一定量のシャワーを噴出することが可能な座位式シャワー装置が記載されている。
【先行技術文献】
【特許文献】
【０００４】
【特許文献１】特開２００４−２０２１２２号公報
【特許文献２】特開平０９−２７１５０８号公報
【発明の概要】
【発明が解決しようとする課題】
【０００５】
しかしながら、特許文献１、２には、貯湯タンクに貯めた湯水を使用してシャワー入浴を行うものではなく、貯湯タンクの湯水を使用する噴射ノズルとハンドシャワーの噴射圧制御についても記載されていない。
【０００６】
本発明は、給水源および給湯源から一旦貯湯タンクに湯水を貯め、貯湯タンクの湯水を使用してシャワー浴を行う入浴装置において、シャワー浴用の噴射ノズルとハンドシャワーとを併用しても、また、湯水を噴射する噴射ノズルの個数を変更した場合でも、シャワー浴用の噴射ノズルからの湯水の噴射圧低下を抑制することを目的とする。
【課題を解決するための手段】
【０００７】
本発明は上記目的を達成するため以下の手段を提供する。
【０００８】
(１)本発明第１に係る入浴装置は、複数の噴射ノズルを有するシャワー浴槽と、ハンドシャワーと、前記噴射ノズルに供給する湯水を貯める貯湯槽と、湯水供給源から前記貯湯槽に供給される湯水が流れる第１移送路と、前記貯湯槽から前記噴射ノズルに供給される湯水が流れる第２移送路と、前記第２移送路の途中に接続され、前記貯湯槽から前記ハンドシャワーに供給される湯水が流れる第３移送路と、前記第１移送路に設けられた第１開閉弁と、前記第２移送路に設けられた第２開閉弁と、前記第３移送路に設けられた第３開閉弁と、前記第２移送路において前記第３移送路の接続箇所よりも前記貯湯槽側に設けられた加圧ポンプと、制御部と、を備え、前記制御部は、前記第３開閉弁の開閉状態によらず、前記噴射ノズルから湯水が所定範囲内の噴射圧で噴射されるように前記加圧ポンプを制御する、ことを特徴とする。
【０００９】
本発明第１によれば、同一の移送路につながる噴射ノズルとハンドシャワーとにおいて、噴射ノズルから湯水を噴射している状態でハンドシャワーを吐出させたり、止めたりしている場合でも、噴射ノズルによる湯水の噴射の強さが変わることを防止できるので、シャワー環境が大きく変動することなく、被介助者が快適にシャワー浴を行うことができる。なお、ハンドシャワーの用途は、特に限定されない。
【００１０】
（２）本発明第１の好ましい実施態様では、前記加圧ポンプと前記第２開閉弁との間の前記第２移送路に薬液供給手段が接続され、前記制御部は、前記シャワー浴槽の殺菌および／または洗浄処理に際しては前記薬液を混入した湯水が前記噴射ノズルおよび／または前記ハンドシャワーから噴射できるよう前記薬液供給手段を制御する。
【００１１】
この実施態様によれば、薬液を混入させて水流を噴射ノズルやハンドシャワーから吐出してシャワー浴槽の殺菌・洗浄処理を行うことができる。
【００１２】
（３）本発明第１の好ましい実施態様では、少なくとも前記第３開閉弁と前記ハンドシャワーとの間の前記第３移送路に薬液供給手段が接続され、前記制御部は、前記シャワー浴槽の殺菌および／または洗浄処理に際しては前記薬液を混入した湯水が前記ハンドシャワーから噴射されるよう前記薬液供給手段を制御する。
【００１３】
この実施態様によれば、シャワー浴中に薬液が混入した湯水が噴射ノズルから吐出されることがないため、安心してシャワー浴を行うことができる。また、被介助者がシャワー浴をしていないとき、薬液を混入させて水流をハンドシャワーから吐出してシャワー浴槽の殺菌・洗浄処理を行うことができる。
【００１４】
（４）本発明第２の入浴装置は、第１群および第２群の複数の噴射ノズルを有するシャワー浴槽と、前記噴射ノズルに供給する湯水を貯める貯湯槽と、湯水供給源から前記貯湯槽に供給される湯水が流れる第１移送路と、前記貯湯槽から前記第１群の噴射ノズルに供給される湯水が流れる第２移送路と、前記第２移送路の途中に接続され、前記貯湯槽から前記第２群の噴射ノズルに供給される湯水が流れる第３移送路と、前記第１移送路に設けられた第１開閉弁と、前記第２移送路に設けられた第２開閉弁と、前記第３移送路に設けられた第３開閉弁と、前記第２移送路において前記第３移送路の接続箇所よりも前記貯湯槽側に設けられた加圧ポンプと、制御部と、を備え、前記制御部は、前記第３開閉弁の開閉状態によらず、前記第１群の噴射ノズルから湯水が所定範囲内の噴射圧で噴射されるように前記加圧ポンプを制御する、ことを特徴とする。
【００１５】
本発明第２によれば、同一の移送路につながる第１群の噴射ノズルと第２群の噴射ノズルにおいて、第１群の噴射ノズルから湯水を噴射している状態で、第２群の噴射ノズルから湯水を噴射させたり、止めたりした場合でも、第１群の噴射ノズルによる湯水の噴射の強さが変わることを防止できるので、シャワー環境が大きく変動することなく、被介助者が快適にシャワー浴を行うことができる。
【００１６】
（５）本発明第１及び第２の好ましい実施態様では、前記噴射ノズルからの湯水の噴射圧が調整可能である。
【００１７】
この実施態様によれば、噴射ノズルからの適正な噴射圧の湯水でシャワー浴ができる。
【００１８】
（６）本発明第１及び第２の好ましい実施態様では、前記貯湯槽の周囲に断熱機能または保温機能を有する部材が取り付けられている。
【００１９】
この実施態様によれば、貯湯槽内の湯水を冷め難くすることができる。
【００２０】
（７）本発明第１及び第２の好ましい実施態様では、前記貯湯槽は、内部に当該貯湯槽内の貯湯量を検出する貯湯量センサが設けられ、前記制御部は、前記貯湯量センサのセンサ出力に基いて前記第１開閉弁の開閉を制御する。
【００２１】
この実施態様によれば、貯湯槽内の貯湯量が不足すると、前記第１開閉弁を開いて当該貯湯槽内の貯湯量を適正に制御でき、これにより、噴射ノズルやハンドシャワーから適正量の吐出を行うことができ、また貯湯槽を小型化することができる。
【発明の効果】
【００２２】
本発明によれば、貯湯タンクの湯水を使用してシャワーを行う入浴装置において、シャワー浴のための噴射ノズルとハンドシャワーとを併用しても、また、湯水を噴射する噴射ノズルの数を変更しても噴射ノズルやハンドシャワーからの湯水の噴射圧の低下を抑制することができる。
【図面の簡単な説明】
【００２３】
【図１】本発明の実施形態１に係るシャワー浴槽の後方斜視図。
【図２】本発明の実施形態１に係るシャワー浴槽の操作表示画面図。
【図３】図１のシャワー浴槽の天井部の部分平面図。
【図４】本発明の実施形態１に係る入浴装置の斜視図。
【図５】本発明の実施形態１に係る入浴装置内の配管図。
【図６】本発明の実施形態２に係る入浴装置内の配管図。
【図７】本発明の実施形態３に係る入浴装置内の配管図。
【図８】本発明の実施形態４に係る入浴装置内の配管図。
【発明を実施するための形態】
【００２４】
以下、添付した図面を参照して、本発明の実施形態に係る入浴装置を説明する。
【００２５】
（実施形態１）
図１〜図５を参照して実施形態１に係る入浴装置を説明する。
【００２６】
図１を参照して、当該入浴装置５が備えるシャワー浴槽１は、一方向長手に延びる固定台部１ａと、固定台部１ａの後縁側に略鉛直に立設された側部１ｂと、側部１ｂの上縁から固定台部１ａの上面１ａ１と略平行に他方向長手に延びる天井部１ｃと、を有して、側面視片仮名の「コ」の字形状となり、この形状を有することで左右両側方および前方が開放されている。固定台部１ａや側部１ｂには、シャワー浴以外の用途、例えば、シャワー浴槽１の殺菌・洗浄処理用としてハンドシャワー２が備えられている。固定台部１ａの上面１ａ１には排水口１ａ２が設けられている。固定台部１ａの下面には、シャワー浴槽１の複数の設置脚１ｅが設けられている。
【００２７】
側部１ｂには、貯湯タンク（貯湯槽）３が内蔵されている。
【００２８】
シャワー浴槽１の天井部１ｃの側面１ｄには、図２に示すように、操作表示画面４が設けられている。操作表示画面４には、電源スイッチ部４ａ、シャワー温度表示部４ｂ、入浴時間表示部４ｃ、天井シャワー設定温度表示部４ｄ、天井シャワー温度設定操作部４ｅ、天井シャワースイッチ４ｆ、ボディソープスイッチ４ｇ、自動殺菌スイッチ４ｈ、薬液追加スイッチ４ｍ、及び、ハンドシャワースイッチ４ｎが設けられている。
【００２９】
シャワー浴槽１の天井部１ｃにおいて、固定台部１ａの上面１ａ１に対向する下面１ｃ１には、図３に示すように、複数の噴射ノズル７が左右両側において同数にて整列並置されている。これら噴射ノズル７は、天井部１ｃに、それらの対向方向の中心位置からほぼ等距離離れて配置され、かつ、それらの湯水の噴射方向が固定台部１ａの上面１ａ１の中心に向かう方向に傾けられて設置されている。
【００３０】
入浴装置５は、図４に示すように、上記シャワー浴槽１と搬送車６とで構成される。搬送車６は被介助者をシャワー浴槽１まで搬送するものである。搬送車６は、シャワー浴槽１の前方側に挿入されて該シャワー浴槽１に連結される。被介助者は、搬送車６でシャワー浴槽１まで搬送され、搬送車６がシャワー浴槽１に連結されると、乗り換えることなく搬送車６に乗った状態でシャワー浴槽１にそのまま入浴できるようになっている。搬送車６は、台車部６ａと、フレーム部６ｂ１，６ｂ２と、長手方向の載置部６ｃと、を備える。台車部６ａは、車輪６ａ１と、操作ペダル６ａ２と、を備える。載置部６ｃには被介助者が仰臥する乗部６ｄが設けられ、乗部６ｄは一対のサイドフェンス６ｄ１と、枕部６ｄ２とを備える。
【００３１】
図５を参照して、実施形態１の入浴装置５の配管構成を説明する。
【００３２】
貯湯タンク３には、第１移送路１１が接続され、この第１移送路１１を介して、貯湯タンク３には湯水供給源から湯水が供給される。第１移送路１１の途中には、第１開閉弁１０が設けられている。
【００３３】
貯湯タンク３の下部に第２移送路１２の一端が接続されている。第２移送路１２の他端は、第１分岐路１２ａと第２分岐路１２ｂとに分岐される。第１分岐路１２ａには、複数の噴射ノズル７ａが接続され、第２分岐路１２ｂには、複数の噴射ノズル７ｂが接続される。噴射ノズル７ａ，７ｂは、それぞれ、シャワー浴槽１の天井部１ｃにおいて、左側、右側に配置された噴射ノズル７である。
【００３４】
第２移送路１２の途中には、貯湯タンク３に近い側から順に、加圧ポンプ１３と、第２開閉弁１４とが設けられている。加圧ポンプ１３と第２開閉弁１４との間の第２移送路１２の途中には、第３移送路１５の一端が接続されている。第３移送路１５の途中には、第３開閉弁１６が設けられている。第３移送路１５の他端は、殺菌・洗浄用のハンドシャワー２に接続されている。ハンドシャワー２は、図示しないが、殺菌・洗浄処理に際して、介助者が湯水の噴射圧を調節できる公知のノズル構造を有する。
【００３５】
加圧ポンプ１３と第２開閉弁１４との間の第２移送路１２の途中には、排水路１７の一端が接続されている。排水路１７の途中には、排水弁１８が設けられている。
【００３６】
この入浴装置５は、薬液供給手段１９を有する。薬液供給手段１９は、薬液の貯留部２０、薬液用ポンプ２１、及び逆止弁２２を含み、これらは、この順で薬液注入路２３に直列に接続されている。薬液供給手段１９は、第２開閉弁１４と加圧ポンプ１３との間の第２移送路１２に接続されている。
【００３７】
この入浴装置５は、ボディソープ供給手段２４を有する。ボディソープ供給手段２４は、ボディソープの貯留部２５、ボディソープ用ポンプ２６、及び逆止弁２７を含み、これらは、この順でボディソープ注入路２８に接続されている。ボディソープ供給手段２４は、第２開閉弁１４と噴射ノズル７ａ，７ｂとの間の第２移送路１２に接続されている。
【００３８】
貯湯タンク３は、内部に湯水を貯めることができる。貯湯タンク３内の湯水温度は、外部制御される。貯湯タンク３は、その内部の湯水の貯湯量を一定量に制御するため、その内部に３個の貯湯量センサ８ａ〜８ｃが貯湯タンク３の深さ方向３段に分けて配置されている。貯湯タンク３において、貯湯量センサ８ａは、最も浅い位置に配置されたセンサであり、貯湯量センサ８ｂは中程度の深さ位置に配置されたセンサであり、貯湯量センサ８ｃは最も深い位置に配置されたセンサである。貯湯量センサ８ａ〜８ｃは例えばフロート式水位センサであり、センサが取り付けられた位置よりも水位が低ければセンサ信号が出力されず、センサが取り付けられた位置以上の水位があればセンサ信号が出力される。一例として、貯湯タンク３の容量は１３リットルであり、貯湯量センサ８ａ〜８ｃで検出するおおよその貯湯量はそれぞれ１０リットル、５リットル、２．５リットルである。
【００３９】
貯湯量センサ８ｃからセンサ信号が制御部９に入力されなくなると、貯湯タンク３内の貯湯量が不足するので、制御部９は、第１開閉弁１０を開いて第１移送路１１から湯水を貯湯タンク３に注入するように制御する。第２開閉弁１４もしくは第３開閉弁１６のどちらか一方が開いている場合には、貯湯量センサ８ｂからセンサ信号が入力されると、制御部９は第１開閉弁１０を閉じて第１移送路１１から湯水が貯湯タンク３に注入されないように制御する。第２開閉弁１４と第３開閉弁１６が両方開いている場合には、貯湯量センサ８ａからセンサ信号が制御部９に入力されると、制御部９は第１開閉弁１０を閉じて第１移送路１１から湯水が貯湯タンク３に注入されないように制御する。
【００４０】
これにより、貯湯タンク３には、適量の湯水が貯められる。
【００４１】
貯湯タンク３には、当該貯湯タンク３に貯められている湯水の温度を検出する温度センサ８ｄが設けられている。制御部９は、温度センサ８ｄから入力されるセンサ信号の入力に基いて、図示略の外部湯水供給源を制御して、天井シャワー設定温度表示部４ｄで設定された設定温度となるよう、貯湯タンク３に、適温の湯水が供給されるよう制御する。温度センサ８ｄで検出された湯水の温度はシャワー温度としてシャワー温度表示部４ｂに表示される。
【００４２】
上記貯湯量の制御によれば、貯湯タンク３には、適量・適温の貯湯量を貯めていくだけでよいから、貯湯タンク３を小型且つ軽量にすることができる。また、貯湯タンク３が小型化すると、貯湯タンク３内の貯湯量も少なくて済む結果、貯湯タンク３内の湯水の温度を所定温度に制御するまでの時間が短縮され、応答性良く貯湯タンク３内の湯水温度を適正に維持し、被介助者に常に最適な温度の湯水でシャワー浴をさせることができる。
【００４３】
貯湯タンク３は、その周囲に断熱機能または保温機能を有する部材が取り付けられ、貯湯タンク３に貯められている湯水が冷め難い構造となっている。断熱機能または保温機能を有する部材としては、例えば、発泡スチロールのような発泡プラスチックを挙げることができる。
【００４４】
薬液供給手段１９は、第１分岐路１２ａと第２分岐路１２ｂ、もしくは第３移送路１５に薬液を注入することができる。第１分岐路１２ａと第２分岐路１２ｂに薬液を注入する場合は、自動殺菌スイッチ４ｈを数秒長押しする。これにより、制御部９が、第３開閉弁１６を閉じ、第２開閉弁１４を開くと共に、薬液用ポンプ２１を作動させて、噴射ノズル７ａ，７ｂ（図３の噴射ノズル７）からシャワー浴槽１に対して殺菌・洗浄処理のための薬液を含む湯水を噴射させることができる。
【００４５】
また、第３移送路１５に薬液を注入する場合は、ハンドシャワースイッチ４ｎを押した後、薬液追加スイッチ４ｍを数秒長押しする。これにより制御部９が、第２開閉弁１４を閉じ、第３開閉弁１６を開くと共に、薬液用ポンプ２１を作動させて、ハンドシャワー２からシャワー浴槽１に殺菌・洗浄処理のための薬液を含む湯水を噴射させることができる。
【００４６】
第２移送路１２にボディソープを注入する場合は、ボディソープスイッチ４ｇを数秒長押しする。これにより、制御部９は、第２開閉弁１４を開くと共に、ボディソープ用ポンプ２６を作動させて、第２移送路１２にボディソープを注入し、噴射ノズル７ａ，７ｂからはボディソープを含む湯水を噴射させる制御を行う。
【００４７】
制御部９は、ハンドシャワー２の使用の有無にかかわらず、噴射ノズル７ａ，７ｂからのシャワー浴のための湯水の噴射圧が所定範囲に収まるよう加圧ポンプ１３を制御する。
【００４８】
すなわち、制御部９は、第２開閉弁１４を開き、第３開閉弁１６を閉じて噴射ノズル７ａ，７ｂのみから湯水を噴射してシャワー浴のみを行う場合と、第２開閉弁１４及び第３開閉弁１６を共に開くことで、噴射ノズル７ａ，７ｂから湯水を噴射してシャワー浴を行う一方で、ハンドシャワー２から湯水を噴射する場合とのいずれの場合でも、噴射ノズル７ａ，７ｂからの湯水の噴射圧が所定範囲内となるように加圧ポンプ１３を制御する。
【００４９】
このように、制御部９は、第３開閉弁１６の開閉にかかわらず、噴射ノズル７ａ，７ｂからの湯水の噴射圧が所定範囲内となるように、加圧ポンプ１３を制御する。ハンドシャワー２の使用を開始する場合、貯湯タンク３内の貯湯量が急激に低下するが、このような場合、貯湯タンク３内の貯湯量が適正に維持されるよう、制御部９は、貯湯量センサ８ａ〜８ｃからのセンサ信号に基いて、第１開閉弁１０の開閉を制御して、貯湯タンク３の貯湯量の制御を行う。
【００５０】
（実施形態２）
図６を参照して、実施形態２の入浴装置の配管構成を説明する。図６において、図５と対応する部分には同一の符号を付し、同一の符号に係る部分の説明は省略する。図６の入浴装置においては、噴射ノズル７を、第１群の噴射ノズルＡ（７ａ１，７ｂ１）と、第２群の噴射ノズルＢ（７ａ２，７ｂ２）とに分けている。
【００５１】
第２群の噴射ノズルＢは、シャワー浴や殺菌・洗浄処理の流量を増やす場合に用いられる噴射ノズルである。なお、この第２群の噴射ノズルＢは、例えば、第１群の噴射ノズルＡと交互に配置したり、被介助者の頭側や足側に集めて、もしくは頭側や足側の両方に分けて配置されてもよく、その配置は特に限定されない。
【００５２】
例えば、被介助者の身長が高い場合は、第２群の噴射ノズルＢから湯水を出し、足先まで湯水が当たるようにし、一方、被介助者の身長が低く第２群の噴射ノズルＢから湯水を出しても被介助者の足先に当たらない場合は、第２群の噴射ノズルＢから湯水を出さないようにしてシャワー浴を行う。これにより、被介助者の個体差に応じて湯水を出す噴射ノズルの範囲を変更してシャワー浴を行うことができる。
【００５３】
また、被介助者がシャワー浴槽１に居ない場合でシャワー浴槽１内のより広い範囲を殺菌・洗浄処理する際に第２群の噴射ノズルＢを利用することができる。
【００５４】
第２移送路１２は、２つの移送路１２ａ，１２ｂに分岐され、第１群の噴射ノズルＡのうち、一方の複数の噴射ノズル７ａ１は、一方の移送路１２ａに接続され、他方の複数の噴射ノズル７ｂ１は、他方の移送路１２ｂに接続される。
【００５５】
第２群の噴射ノズルＢは、第３開閉弁１６以降の第３移送路１５に接続されている。
【００５６】
制御部９は、シャワー浴や殺菌・洗浄処理の流量を増やす場合は、第２開閉弁１４及び第３開閉弁１６を共に開いて第１群の噴射ノズルＡ及び第２群の噴射ノズルＢから湯水を噴射させてシャワー浴または殺菌・洗浄処理を行う。
【００５７】
上記実施形態２においては、第１群の噴射ノズルＡのみから湯水を噴射する場合と、第１群の噴射ノズルＡおよび第２群の噴射ノズルＢから湯水を噴射する場合とのいずれの場合でも、制御部９は、第１群の噴射ノズルＡから噴射される湯水の噴射圧が所定範囲内となるように加圧ポンプ１３を制御する。
【００５８】
また、制御部９は、第２群の噴射ノズルＢでシャワー浴槽１を殺菌・洗浄処理する場合、貯湯タンク３内の貯湯量が急激に低下するので、貯湯タンク３内の貯湯量が適正に維持されるよう、貯湯量センサ８ａ〜８ｃのセンサ出力に基いて第１開閉弁１０の開閉を制御して貯湯タンク３の貯湯量を増減させる制御を行う。
【００５９】
（実施形態３）
図７を参照して、実施形態３の入浴装置の配管構成を説明する。図７において、図５と対応する部分には同一の符号を付し同一の符号に係る部分の説明は省略する。
【００６０】
図７の入浴装置においては、第２開閉弁１４と噴射ノズル７ａ，７ｂとの間の第２移送路１２に流量センサ２９を設けている。流量センサ２９によって第２移送路１２を流れる湯水の流量を検出し、その流量が予め決められた範囲内に収まるように、制御部９は加圧ポンプ１３を制御する。このように加圧ポンプ１３を制御することで、噴射ノズル７ａ，７ｂから噴射される湯水の噴射圧を所定範囲内にすることができる。
【００６１】
したがって、第２開閉弁１４のみを開いてシャワー浴を行う場合と、第２開閉弁１４および第３開閉弁１６を共に開いてシャワー浴およびハンドシャワー２から湯水の噴射を行う場合とのいずれにおいても、上記のように流量センサ２９のセンサ出力に基いて加圧ポンプ１３を制御することで、噴射ノズル７ａ，７ｂから噴射される湯水の噴射圧が所定範囲内となるようにすることができる。
【００６２】
これにより、ハンドシャワー２からの湯水の噴射の有無にかかわらず、噴射ノズル７ａ，７ｂからは適切な流量で湯水が噴射されるので、被介助者は快適にシャワー浴をすることができる。
【００６３】
以上説明したように、上述した実施形態１および３のように、噴射ノズル７ａ，７ｂとハンドシャワー２とを併用しても、また、実施形態２のように使用する噴射ノズル７の数を変えた場合でも、シャワー浴のための噴射ノズルからの湯水噴射圧の低下を抑制することができる。
【００６４】
(実施形態４)
図８を参照して、実施形態４の入浴装置の配管構成を説明する。図８において、図５と対応する部分には同一の符号を付し同一の符号に係る部分の説明は省略する。
【００６５】
実施形態１の入浴装置においては、薬液供給手段１９は、第２開閉弁１４と加圧ポンプ１３との間の第２移送路１２に接続されているが、実施形態４の入浴装置においては、図８に示すように第３開閉弁１６とハンドシャワー２との間の第３移送路１５に薬液供給手段１９を接続している。
【００６６】
この構成では、噴射ノズル７ａ，７ｂから薬液が混入していない湯水を噴射すると同時に、ハンドシャワー２から薬液を混入した湯水を噴射することができるので、シャワー浴中に被介助者が失禁等をした場合でも、ハンドシャワー２によってシャワー浴槽１の殺菌・洗浄処理を即座に行うことができる。また、図８に示した薬液供給手段１９とは別に、第２開閉弁１４と噴射ノズル７ａ，７ｂとの間の第２移送路１２に薬液供給手段１９を接続し、シャワー浴槽１全体の殺菌・洗浄処理ができるようにしてもよい。
【００６７】
本発明は、上述した実施形態に限定されるものではなく、その精神または主要な特徴から逸脱することなく、他のいろいろな形態で実施できる。したがって、前述の実施形態はあらゆる点で単なる例示に過ぎず、本発明の範囲は特許請求の範囲に示すものであって、明細書本文には何ら拘束されない。さらに、特許請求の範囲に属する変形や変更は全て本発明の範囲内のものである。
【符号の説明】
【００６８】
１  シャワー浴槽
１ａ  固定台部
１ｂ  側部
１ｃ  天井部
２  ハンドシャワー
３  貯湯タンク
５  入浴装置
６  搬送車
７  噴射ノズル
７ａ，７ｂ  噴射ノズル
７ａ１，７ｂ１  噴射ノズル
７ａ２，７ｂ２  噴射ノズル
８ａ〜８ｃ  貯湯量センサ
９  制御部
１０  第１開閉弁
１１  第１移送路
１２  第２移送路
１３  加圧ポンプ
１４  第２開閉弁
１５  第３移送路
１６  第３開閉弁
１９  薬液供給手段
Ａ  第１群の噴射ノズル
Ｂ  第２群の噴射ノズル
【図１】
2019037533.tif 000003
【図２】
2019037533.tif 000004
【図３】
2019037533.tif 000005
【図４】
2019037533.tif 000006
【図５】
2019037533.tif 000007
【図６】
2019037533.tif 000008
【図７】
2019037533.tif 000009
【図８】
2019037533.tif 000010